(57)【特許請求の範囲】
【請求項１】
長手方向軸に対して対称的に配置された２つの同一の部分（３０、３１）を有する自転車サドルであって、
溝（１５）が、前記長手方向軸において提供され、
前記溝は、上方から下方に開き、前記サドルの中間部分からその前部にかけて延びる前記２つの部分を分離し、
前記溝は、前部よりも後部で実質的に広い幅を有し、
前記２つの部分は、凹部（６）によって後部において分離され、当該凹部（６）は、あり継ぎ形状を前記サドルの後部に与える２つの点（７、８）によって側部において画定され、
前記凹部は、前記溝の後縁内で終端するくぼみ（５）を伴って継続し、
前記２つの部分は、徐々に狭くなるよう意図された、前記溝（１５）を横方向に画定する延長部（９、１０、および１１、１２）を伴って継続し、
前記延長部は、側部から見て、鳥のくちばし形状をとるほぼ円形形状の前端部（１３）によって互いに接合する、自動車サドルにおいて、
前記２つの部分（３０、３１）が、後端部において、これらが、前記溝のそばにある前記延長部（９、１０）に到達するまで、ほぼ平坦な領域（１、２）を有し、当該平坦領域（１、２）上には、前記サドルが使用されている間、ユーザの殿筋が載せられるよう意図され、当該平坦領域（１、２）は、自転車の車輪が載る地面に対してほぼ平行であることを特徴とする、自転車サドル。
【請求項２】
前記サドルの上側表面全体には、いかなる詰め物も有さないことを特徴とする、請求項１に記載のサドル。
【請求項３】
前記サドルは、当該サドルの一部の領域（３、４）内に詰め物（４０）を有することを特徴とする、請求項１に記載のサドル。
【請求項４】
前記サドルは、前記詰め物（４０）が上方に存在する支承本体（５）を有し、前記支承本体内の、ちょうど詰め物を有する領域（３、４）が中に存在する部分に対応する部分内に、上方向に向く凹面（１６、１７）が存在することを特徴とする、請求項３に記載のサドル。
【請求項５】
前記サドルは、詰め物（４０）が上方に存在する支承本体（５０）を有し、前記支承本体は、底部において、前記自転車の座席支柱に固定されるようにフォーク部（１４）によって支持され、前記支承本体内には、前記フォーク部１４の端部が内側に通される２つの前ポケット（２１、２２）と、前記後部において、前記フォーク部１４を支承本体（５０）に硬く固定された状態に保つようにねじ（２３）によって固定された、いくつかのプレート（１８、１９）とが存在することを特徴とする、請求項１に記載のサドル。
【発明の詳細な説明】
【技術分野】
【０００１】
本発明は、請求項１の概要部分による自転車サドルに関する。
【背景技術】
【０００２】
自転車を専門的にまたは愛好家として乗るどのような人も、たとえば、競技の場合または自身の娯楽的活動を行うためだけに、特に長時間連続して乗るときに、サドルを使用する上で大きな問題に直面することが知られている。
【０００３】
実際、サドルに長時間座り、地面の凹凸によってユーザが自身の会陰部内に不可避的に受ける衝撃によって増悪した結果、会陰部構造の大きな血管圧迫が生じ、これは、陰茎の感度において大きな低減を招き得る。
【０００４】
これらの欠点を回避するために、本発明の発明者の一人は、文献の欧州特許第１５９０２２９Ａ号および欧州特許第１７８１５２８Ａ号を含むさまざまな特許の目的であったサドルを考案した。これらの特許文献の導入部分では、自転車サドルの長期的使用による陰茎内の血流の低減に関するいくつかの科学的研究が引用されるなどのように、現況技術の数多くの文献が引用されている。
【０００５】
基本的には、前述の２つの特許は、底部から上部にかけて開く長手方向の溝によって長い部分にわたって分離された２つの同一の部分を有するタイプの自転車サドルを説明している。ユーザの陰茎が、サドルの中央および前部において、またサドル自体の前端部の特に鳥のくちばし形状によって最適な収容を有しつつ、前記サドルはその後部において、坐骨結節の最適な収容を可能にする。
【０００６】
このすべては、前述の文献においてよく説明され示されている。
【０００７】
実施された数多くの試験および実験は、そのような特許文献において説明された解決策がいかに良好かつ効果的であるかを明白に保証することを可能にし、実際、これらに説明されたサドルは、かなり多くの国々で大きな商業的成功を有している。特に、そのような文献において説明されたサドルは、傾けられた後部分を有して、ユーザの坐骨結節の最適な位置決めを正に可能にしている。しかし、自転車を使用し、したがってそのサドルに座るユーザは、多種多様な方法および異なる状況においてそのようにすることが考えられなければならない。たとえば、さまざまなユーザの中で見出され得る、臀部の重量、高さ、および身体構造の非常に多くの多様性を考える。さらに、これらの同じユーザは、類似の身体構造を有する場合であっても、異なる習慣および嗜好を有し得る。
【０００８】
最後に、自転車は、男性および女性のユーザの両方によって、ならびに子供によって使用されるという事実、また、時折、ユーザは、陰茎−生殖器部内に問題を有するという事実も考える（たとえば、特に特定の年齢者の男性ユーザの前立腺肥大の深刻な問題を考える）に値する。
【０００９】
特に、上記で引用されたサドルの後部は、実際の使用状態に置かれると、水平に対して前方向に傾けられ、これは、一部の自転車に乗る人が一層力を入れる場合に認識する、臀部を前後に滑らす動きがサドル上で行われることを妨げる。
【００１０】
換言すれば、一部のタイプの自転車に乗る人にとって、前述の文献によるサドルは、ほとんどの自転車に乗る人にとって極めて効果的であり有用でありながらも、快適なものではなく、使用「しにくい」ものである。
【００１１】
現況技術の他の文献は、欧州特許第２６７３１８３Ａ号、欧州特許第１７７８５３７Ａ号、および米国特許第２００７２１０６２５Ａ号である。
【発明の概要】
【発明が解決しようとする課題】
【００１２】
本発明の目的は、前述の文献に示されたものに構造的に類似するが、ユーザの個々の身体的特徴および個々の自転車の使用習慣の両方による、特定のタイプのユーザに特に適するようにするのに適した特別な特徴を有する自転車サドルを提供することである。
【課題を解決するための手段】
【００１３】
これは、本発明にしたがって、特許請求項１の特徴付け部分の特徴によってサドルを成形することによって得られる。
【００１４】
本発明は、次に、添付された図表を用いて非限定的な例として与えられた、その特定の実施形態を参照して詳細に示され説明される。
【図面の簡単な説明】
【００１５】
【図１】本発明によるサドルの斜視図である（表Ｉ）。
【図２】本発明によるサドルの支持本体の斜視図である（表ＩＩ）。
【図３】本発明によるサドルの長手方向中央セクションの図である（表ＩＩＩ）。
【図４】坐骨結節が載せられる、本発明によるサドルの後部の断面図である（表ＩＶ）。
【図５】特に恥骨弓が載せられる領域内の、本発明によるサドルの中間部分の断面図である（表Ｖ）。
【図６】本発明によるサドルの下方からの平面図である（表ＶＩ）。
【図７】サドルの上方に配置された坐骨結節および恥骨弓の、会陰底部の構造の切開図である。
【発明を実施するための形態】
【００１６】
この図では、そのような要素は、以下の参照を用いて示される。
【００１７】
ａ−肛門
ｂ−ｂ−殿筋
ｃ−尾骨
ｄ−ｄ−坐骨結節
ｅ−前立腺
ｆ−ｆ−外陰部動脈
ｇ−深陰茎背静脈
ｈ−深陰茎背動脈
ｉ−ｉ−恥骨弓
ｌ−陰茎
ｍ−睾丸
ｎ−陰茎体
図１に見られ得るように、本発明によるサドル６０は、長手方向に、その長手方向軸に対して対称的に配置された２つの同一の部分３０、３１を有する。前記長手方向軸において、上方から下方に開く溝１５が存在し、この溝は、前記２つの部分を、サドルの中間部分から前部にかけて分離する。後部では、前記溝は、約３０〜３５ｍｍに等しいより大きい幅を有し、次いで、狭くなり、約１０〜２０ｍｍに等しい一定の幅でこれがサドルの前端部１３に到達するまで進む。
【００１８】
後部に戻れば、２つの同一の部分３０、３１は、凹部６によって互いから分離され、凹部６は、あり継ぎ形状をサドルの後部に与える２つの点７、８によって側部において画定される。前記凹部６は、くぼみ５を伴ってサドルの前部に向かって進み、くぼみ５は、ちょうど中央溝１５の後縁のところで終端する。凹部６の側部には、殿筋（図７のｂ−ｂを参照）が載せられる領域１、２が存在する。これらの領域１、２は、坐骨結節（図７ｄ−ｄを参照）が載せられる領域３、４を伴って前部に進む。図１に戻れば、領域３、４は、延長部９、１０、次いで１１、１２を伴って進む。
【００１９】
線ｙ−ｙ（図５も参照）においては、恥骨弓（図７のｉ−ｉを参照）もまたサドル上に載る。この位置では、延長部９、１０は、約４０〜５０ｍｍに等しい全長を有し、次いで、延長部１１〜１２を伴って、約３０°〜４５°の傾斜で下方向に進み始め、ほぼ半円に成形される端部１３に到達するまで徐々に狭くなる。サドルの前部は、側部から見て、実質的には鳥のくちばし形状をとる。
【００２０】
図３を観察すれば、本発明によるサドル内では、殿筋が載る領域１および２の上側表面が、サドルが、実際の位置決め状態で自転車上に配置されたとき、地面（ｗ−ｗ）に対してほぼ水平に（線ｚ−ｚ）配置されることが理解され得る。これは、自転車に乗る人が、極限状態で乗る間、ペダル位置を変更することなく前後に問題なく動くことを可能にする。さらに、この「水平」状態は、前述の文献による、サドルの使用に関してより快適かつ実用的である。
【００２１】
これは、特に、ペダル作用中、サドル上で前後に動くことができることを好む自転車に乗る人に当てはまる。
【００２２】
再度図３において、サドルの支持フォーク部１４が、その本体５０に固定され、このとき一部分１４’は、地面（ｗ−ｗ）に対して約１０°に傾けられることも理解され得る。
【００２３】
図４では、特定の実施形態において、坐骨結節が、たとえば、約１０〜１５ｍｍに等しい厚さを有する発泡ポリウレタンエラストマーから作製された詰め物４０によって、領域３、４において支持されることが可能であることが理解され得る。しかし、サドルがそのような詰め物を有さなくてもよい。図２では、サドルの可視部分の下の、プラスチック材料から作製された支承本体５０上において、ちょうど前述の領域３、４のところに２つの凹面部１６、１７が存在し、これらは、上方向に進む凹面を有して、坐骨結節の端部の収容をより良好に助けることが理解され得る。
【００２４】
図５を観察すれば、恥骨弓（ｉ）は、約１０〜１５ｍｍに等しい厚さの発泡ポリウレタンエラストマーから作製された詰め物４０によって支持され、それによって前記恥骨弓が、人体の臀部の重量下で、逆に剛性プラスチック材料からなる、下にある本体５０に接触しないことを可能にすることが理解され得る。
【００２５】
領域３、４内、および延長部９〜１０内の詰め物４０の存在は、本発明によるサドルにおいて重要であり、実際、本発明によるサドルの場合に溝（１５）の内側に収容される陰茎体（ｎ）から、前立腺（ｅ）から、ならびに陰茎（ｌ）からのものであるはずの支持を有さないことにより、詰め物４０は、坐骨結節および恥骨弓が、本発明によるサドルの使用を極めて困難および苦痛にするであろう、剛性プラスチック材料から作製された下にある本体５０との接触を有することなく、人体の臀部の重量を支持することを可能にする。
【００２６】
上側表面水平部を有し、会陰の構造のための収容手段を有さない、市場で見られる、特に競技用自転車向けの自転車サドルにおいて、坐骨結節（特に恥骨弓）が、前立腺の、陰茎体の、および陰茎の支持を利用することに留意されなければならない。明確なことに、前述の生理学的要素は、人体の臀部の重量（特に神経血管構造）の存在によって押しつぶされる。これは、長期的に見て、男性および女性の両方において泌尿生殖器に関して深刻な問題を引き起こす。
【００２７】
図６では、特に支承本体５０、座席チューブのクランプが固定されるフォーク部１４、フォーク部１４の端部が内側に通される、事前作製された前部ポケット２１および２２、および後部において、各々がフォーク部の上方にあり、これを本体５０に硬く固定された状態に保つために４つのねじ２３を用いて固定されたプレート１８および１９を見ることが可能である。
【００２８】
実施された試験は、競技者および愛好家の両方の数多くのユーザが、前述の文献において説明されたサドルより本発明によるサドルを使用することを好み、これは、個々の身体的特徴によるもの、またはペダル作用およびサドル上の着席の個々のスタイルによるものになり得ることを確立することを可能にする。
【００２９】
基本的に、本発明によるサドルでは、前述の特許において説明されたサドルを見出していないユーザが、そのようなサドルに存在する明確な利点および革新的な特徴（主に傾斜された前部分を備えた中央溝、その中間部の個々の形状、支持フォーク部など）から利益を得ることも可能であり、その理由は単に、そうでなければ、ユーザは、強く強いられた位置に留められると感じ、前後に容易に動くことができる方法を有さないためである。
〔態様１〕
長手方向軸に対して対称的に配置された２つの同一の部分（３０、３１）を有する自転車サドルであって、溝（１５）が、前記長手方向軸において提供され、前記溝は、上方から下方に開き、サドルの中間部分からその前部にかけて延びる前記２つの部分を分離し、前記溝は、前部よりも後部で実質的に広い幅を有し、前記２つの部分は、凹部６によって後部において分離され、前記凹部６は、あり継ぎ形状を前記サドルの後部に与える２つの点（７、８）によって側部において画定され、前記凹部は、前記中央溝の後縁内で終端するくぼみ（５）を伴って継続し、前記２つの部分は、徐々に狭くなるよう意図された、前記溝（１５）を横方向に画定する延長部（９、１０、および１１、１２）を伴って継続し、前記延長部は、側部から見て、鳥のくちばし形状をとるほぼ円形形状の前端部（１３）によって互いに接合する、自動車サドルにおいて、前記２つの部分（３０、３１）が、前記後端部において、これらが、前記中央溝のそばにある前記延長部（９、１０）に到達するまで、ほぼ平坦な領域（１、２）を有し、前記平坦領域（１、２）上には、前記サドルが使用されている間、ユーザの殿筋が載せられるよう意図され、前記平坦領域（１、２）は、前記自転車の車輪が載る地面に対してほぼ平行であることを特徴とする、自転車サドル。
〔態様２〕
前記上側表面全体には、いかなる詰め物も有さないことを特徴とする、態様１に記載のサドル。
〔態様３〕
一部の領域（３、４）内で詰め物（４０）を有することを特徴とする、態様１に記載のサドル。
〔態様４〕
詰め物（４０）が上方に存在する支承本体（５）を有し、前記支承本体内の、ちょうど詰め物を有する領域（３、４）が中に存在する部分に対応する部分内に、上方向に向く凹面（１６、１７）が存在することを特徴とする、態様３に記載のサドル。
〔態様５〕
詰め物（４０）が上方に存在する支承本体（５０）を有し、前記支承本体は、底部において、前記自転車の座席支柱に固定されるようにフォーク部（１４）によって支持され、前記支承本体内には、前記フォーク部１４の端部が内側に通される２つの前ポケット（２１、２２）と、後部において、前記フォーク部１４を支承本体（５０）に硬く固定された状態に保つようにねじ（２３）によって固定された、いくつかのプレート（１８、１９）とが存在することを特徴とする、態様１に記載のサドル。
【図１】
0006514196.tif 000002
【図２】
0006514196.tif 000003
【図３】
0006514196.tif 000004
【図４】
0006514196.tif 000005
【図５】
0006514196.tif 000006
【図６】
0006514196.tif 000007
【図７】
0006514196.tif 000008